(57)【要約】      （修正有）【課題】携帯端末の充電時、ユーザが現在の充電ステータスを容易に判断可能とする。【解決手段】プロジェクタ部４０は、プロジェクタ部全体制御を行うプロジェクタ制御部４６と、投影光源４１と、光源駆動部４２と、透過型液晶板４３と、液晶駆動部４４と、透過型液晶板４３上に表示された画像をスクリーン５０上に結像するための投影光学系を構成する投影レンズ４５と、を有している。また、充電管理部６０は、充電全体の制御を行う充電制御部６６と、外部電源供給端子１１の有無を検出する充電装置接続検出部６４と、充電制御回路６７と、Ａ／Ｄ変換部６１と、充電電圧／電流モニタ部６２と、充電残時間算出部６３と、充電装置接続検出部６４より充電開始検出通知が行われた時点より充電制御部６６から得られる充電残時間等の充電ステータス情報をプロジェクタ制御部４６へ転送する充電ステータス情報制御部６４と、を有している。【選択図】図２
2007135341.tif 000002
【特許請求の範囲】
【請求項１】
充電可能な電池が装着され、充電装置に接続することで、前記装着された電池への充電を可能とする携帯端末であって、
前記充電装置との接続を検知する接続検出部と、
投影光源と、
該投影光源からの光を変調する投影画像を表示する表示素子と、
該表示素子により変調された前記投影光源からの光を被投影面に投影する投影光学系と、
前記接続検出部が前記充電装置との接続を検知すると、前記投影光学系より充電中状態表示を外部へ投影可能とする制御を行う投影制御部と
を有することを特徴とした携帯端末。
【請求項２】
前記充電装置は、
前記携帯端末を載置可能な着座部を有し、該着座部より前記携帯端末と接続されて該携帯端末の電池への充電を可能とする構成であり、前記携帯端末は、前記充電装置への載置を検知する手段を有することを特徴とする請求項１に記載の携帯端末。
【請求項３】
前記充電状態における充電所要残時間の計算手段を有し、前記充電所要残時間の表示を前記投影光学系より外部へ投影可能とする機能を有することを特徴とする請求項１又は２に記載の携帯端末。
【請求項４】
前記充電装置は、周囲照度を計測する照度計測手段と、該計測照度値を前記携帯端末へ通知する手段を具備し、前記携帯端末は、充電実施時、前記充電装置からの計測照度値を受信する手段と、前記照度計測値に基づいて、前記投影光源の発光量を制御する投影光源制御手段とを有することを特徴とする請求項１から３までのいずれか１項に記載の携帯端末。
【請求項５】
周囲照度を計測する照度計測手段と、
該照度計測値に基づいて、前記投影光源の発光量を制御する投影光源制御手段とを有することを特徴とする請求項１から３までのいずれか１項に記載の携帯端末。
【請求項６】
前記充電装置は、充電実施時における前記携帯端末と外部被投影面までの投影距離を測定する距離計測手段と、該計測距離値を前記携帯端末へ通知する手段と、を具備し、
前記携帯端末は、前記充電装置からの計測距離値を受信する手段と、
前記計測距離値に基づいて、前記投影光源の発光量を制御する投影光源制御手段と
を有することを特徴とする請求項１から５までのいずれか１項に記載の携帯端末。
【請求項７】
外部被投影面までの投影距離を測定する距離計測手段と、
計測した距離値に基づいて、前記投影光源の発光量を制御する投影光源制御手段と
を有することを特徴とする請求項１から５までのいずれか１項に記載の携帯端末。
【請求項８】
前記携帯端末は携帯電話機であることを特徴とする請求項１から７までのいずれか１項に記載の携帯端末。
【請求項９】
携帯端末に装着された電池への充電を可能とする携帯端末の充電装置であって、
前記携帯端末を載置可能な着座部を有し、該着座部より前記携帯端末と接続されて該携帯端末の電池への充電を可能とし、
周囲照度を計測する照度計測手段と、
該計測照度値を前記携帯端末へ通知する手段とを有することを特徴とする携帯端末の充電装置。
【請求項１０】
請求項１から８までのいずれか１項に記載の携帯端末と、
請求項９に記載の充電装置と
を有する携帯端末充電システム。
【請求項１１】
充電可能な電池が装着される携帯端末であって、充電装置に接続することで前記装着された電池への充電を可能とする携帯端末・充電装置セットであって、
前記携帯端末と前記充電装置との接続を検知する接続検出部と、
投影光源と、
該投影光源からの光を変調する投影画像を表示する表示素子と、
該表示素子により変調された前記投影光源からの光を被投影面に投影する投影光学系と、
前記接続検出部が前記充電装置との接続を検知すると、前記投影光学系より充電中状態表示を外部へ投影可能とする制御を行う投影制御部と
のそれぞれの構成要素を、前記携帯端末又は前記充電装置のいずれか一方が有することを特徴とした携帯端末・充電装置セット。
【請求項１２】
携帯端末の電池への充電開始を検知するステップと、
前記充電開始が検知されると、充電の状態に関するステータス情報を外部に向けて投影表示する制御を行なうステップと
を有することを特徴とした携帯端末への充電方法。
【発明の詳細な説明】
【技術分野】
【０００１】
本発明は、携帯端末及び充電装置に関し、さらに詳しくは、充電実施時にユーザへの充電状態報知手段を具備した携帯端末及びその充電装置に関する。
【背景技術】
【０００２】
近年、無線通信技術の発達及び構成部品の小型化技術の発達に伴い、携帯電話機に代表される携帯端末が広く普及しており、その使用頻度及び利用時間が年々増加している。このように、携帯端末の利用時間が増加することで、携帯端末に内蔵される電力供給用バッテリの使用量も増大するため、頻繁に充電処理が行われる状況となっている。通常、携帯端末のバッテリ電圧が低下した場合、ユーザは携帯端末より通知される充電が必要な旨を示すメッセージ等を認識することで、別途設けられる充電装置に当該携帯端末をセットすることにより充電を行う。
【０００３】
この充電装置として、例えば図１２に示すような構成のものが広く知られている。図１２において、符号２０は充電装置であり、この充電装置２０には、給電対象である携帯電話機１０を載置するための載置部２１が形成される。又、充電装置２０には商用電源コンセント接続の為のＡＣ／ＤＣアダプタ３０が接続され、載置部２１には携帯端末の外部電極に接触する充電端子２２が設けられる。この種の充電装置によれば、例えば商用電源コンセントに接続されるＡＣ／ＤＣアダプタ３０から充電端子２２を通じて携帯電話機１０に電力供給し、これに内蔵される電池に充電をすることが可能となる。
【０００４】
尚、携帯電話機１０及び充電装置２０の何れか、又は双方に関し、ユーザへ充電中状態を報知するための可視ＬＥＤ（Ｌｉｇｈｔ  Ｅｍｉｔｔｉｎｇ  Ｄｉｏｄｅ：発光ダイオード）等の光源で構成される充電状態報知用発光部２３を設けるのが一般的である。しかしながら、この充電状態報知用発光部２３による光源は、その視認性が乏しいため、暗所での充電実施時又はユーザが充電装置から離れた場所にいる場合の充電実施時に、ユーザが充電装置の存在に気付きにくいこと、ユーザが充電完了したか否かを判断しにくいという問題があった。
【０００５】
上記課題を解決するための技術が、例えば、特許文献１が開示されている。特許文献１に開示された充電装置は、充電装置の充電状態報知用発光部近傍に導光板及びレンズを具備し、充電状態報知用発光部の光源光を充電装置上の充電表示部及び携帯端末の照射の双方に利用することが可能なる。これにより、暗所での充電実施時、又はユーザが充電装置から離れた場所にいる場合の充電実施時に好適なイルミネーション効果を実現することで、ユーザが充電装置の存在に気づき易く、且つ、ユーザが充電完了したか否かを判断し易くなるという利点が得られる。
【０００６】
【特許文献１】特開２００３−８７９８３号公報
【発明の開示】
【発明が解決しようとする課題】
【０００７】
上記特許文献１に示された技術では、暗所での充電実施時又はユーザが充電装置から少し離れた場所にいる場合の充電実施時において、単に充電中であるか否かであることをユーザ示すのみである。従って、現在どの程度充電が完了しているか、あるいは、あとどの程度の時間で充電が完了するか、といったことをユーザが判断しにくいという問題があった。
【０００８】
本発明は、暗所での充電実施時又はユーザが充電装置から離れた場所にいる場合の充電実施時において、ユーザが現在の充電ステータスを容易に判断することが可能な携帯端末及び充電装置を提供することを目的とする。
【課題を解決するための手段】
【０００９】
本発明の一観点によれば、充電可能な電池が装着され、充電装置に接続することで、前記装着された電池への充電を可能とする携帯端末であって、前記充電装置との接続を検知する接続検出部と、投影光源と、該投影光源からの光を変調する投影画像を表示する表示素子と、該表示素子により変調された前記投影光源からの光を被投影面に投影する投影光学系と、前記接続検出部が前記充電装置との接続を検知すると、前記投影光学系より充電中状態表示を外部へ投影可能とする制御を行う投影制御部とを有することを特徴とした携帯端末が提供される。
【００１０】
前記充電装置は、前記携帯端末を載置可能な着座部を有し、該着座部より前記携帯端末と接続されて該携帯端末の電池への充電を可能とする構成であり、前記携帯端末は、前記充電装置への載置を検知する手段を有することが好ましい。
【００１１】
前記充電状態における充電所要残時間の計算手段を有し、前記充電所要残時間の表示を前記投影光学系より外部へ投影可能とする機能を有することが好ましい。
【００１２】
前記充電装置は、周囲照度を計測する照度計測手段と、該計測照度値を前記携帯端末へ通知する手段を具備し、前記携帯端末は、充電実施時、前記充電装置からの計測照度値を受信する手段と、前記照度計測値に基づいて、前記投影光源の発光量を制御する投影光源制御手段とを有することが好ましい。
【００１３】
照度計測手段は携帯端末側に設けられても良く、その場合には前記携帯端末へ通知する手段は不要となる。
【００１４】
前記充電装置は、充電実施時における前記携帯端末と外部被投影面までの投影距離を測定する距離計測手段と、該計測距離値を前記携帯端末へ通知する手段と、を具備し、
前記携帯端末は、前記充電装置からの計測距離値を受信する手段と、前記計測距離値に基づいて、前記投影光源の発光量を制御する投影光源制御手段とを有することが好ましい。
【００１５】
距離計測手段は携帯端末に設けられても良く、その場合には、計測距離値を前記携帯端末へ通知する手段は不要となる。
【００１６】
本発明の他の観点によれば、携帯端末に装着された電池への充電を可能とする携帯端末の充電装置であって、前記携帯端末を載置可能な着座部を有し、該着座部より前記携帯端末と接続されて該携帯端末の電池への充電を可能とし、周囲照度を計測する照度計測手段と、該計測照度値を前記携帯端末へ通知する手段とを有することを特徴とする携帯端末の充電装置が提供される。
【００１７】
上記の携帯端末と、上記の充電装置とは、１つのシステムとしてセット販売されるのが一般的である。
【００１８】
本発明の別の観点によれば、充電可能な電池が装着される携帯端末であって、充電装置に接続することで前記装着された電池への充電を可能とする携帯端末・充電装置セットであって、前記携帯端末と前記充電装置との接続を検知する接続検出部と、投影光源と、該投影光源からの光を変調する投影画像を表示する表示素子と、該表示素子により変調された前記投影光源からの光を被投影面に投影する投影光学系と、前記接続検出部が前記充電装置との接続を検知すると、前記投影光学系より充電中状態表示を外部へ投影可能とする制御を行う投影制御部と、のそれぞれの構成要素を、前記携帯端末又は前記充電装置のいずれか一方が有することを特徴とした携帯端末・充電装置セットが提供される。
【発明の効果】
【００１９】
本発明によれば、暗所又はユーザが充電装置から離れた場所にいる環境下での充電実施時に、携帯端末が充電ステータス情報を外部壁面等へ投影表示するため、携帯端末及び充電装置の存在に対する視認性が向上し、さらにユーザが現在の充電ステータスを容易に判断することが可能となる。
【発明を実施するための最良の形態】
【００２０】
以下、本発明の実施の形態について図面を参照しながら具体的に説明する。なお、実施の形態を説明するための全図において、同様の機能を有する部分には同じ符号を付け、繰り返しの説明は省略する。
【００２１】
図１は、本発明の第１の実施の形態を示す図で、図１（Ａ）は本実施の形態による携帯端末の概略図、図１（Ｂ）は携帯端末の背面図、図１（Ｃ）は携帯端末と充電装置との関係を示す接続概念図、図１（Ｄ）は携帯端末及び充電装置による外部投影動作を説明するための概略図である。
【００２２】
図１において、符号１０は携帯電話機であり、１１は充電装置より電源供給を受ける為の外部電源供給端子、４０はプロジェクタ部である。２０は充電装置であり、２１は携帯電話機接続時の載置部、２２は携帯電話機への電源供給の為の充電端子、３０は商用電源コンセント接続の為のＡＣ／ＤＣアダプタである。また、５０は外部壁面である。図１（Ｄ）に示すように、携帯電話機１０は、充電装置２０との接続による充電実施時、充電ステータスに関する情報をプロジェクタ部４０を介して外部壁面５０等の任意の被投影面に投影表示することができる。
【００２３】
図２は、図１（Ｄ）に示した充電装置２０との接続時における携帯電話機１０の充電ステータス情報外部投影表示の動作原理を説明するためのブロック構成図である。プロジェクタ部４０は、プロジェクタ部全体制御を行うプロジェクタ制御部４６と、白色ＬＥＤ（Ｌｉｇｈｔ  Ｅｍｉｔｔｉｎｇ  Ｄｉｏｄｅ：発光ダイオード）４１ａと拡散板４１ｂとにより構成される投影光源４１と、投影光源４１の発光量を制御する光源駆動部４２と、投影光源４１からの光を変調する表示素子である透過型液晶板４３と、透過型液晶板４３に画像を設定する液晶駆動部４４と、透過型液晶板４３上に表示された画像をスクリーン５０上に結像するための投影光学系を構成する投影レンズ４５と、を有している。
【００２４】
また、充電管理部６０は、充電全体の制御を行う充電制御部６６と、外部電源供給端子１１の電圧印加の有無を検出する充電装置接続検出部６４と、外部電源供給端子１１の印加電源により電池７０への充電を行う充電制御回路６７と、充電電圧／電流値をディジタル値に変換するＡ／Ｄ（Ａｎａｌｏｇ／Ｄｉｇｉｔａｌ）変換部６１と、Ａ／Ｄ変換部６１からの充電電圧／電流値を読み出す充電電圧／電流モニタ部６２と、充電電圧／電流モニタ部６２より得られる充電電圧／電流値及び充電制御部６６より得られる現在の充電制御情報から現在の充電残時間を算出し、この算出充電残時間を充電制御部６６へ通知する充電残時間算出部６３と、充電装置接続検出部６４より充電開始検出通知が行われた時点より充電制御部６６から得られる充電残時間等の充電ステータス情報をプロジェクタ制御部４６へ転送する充電ステータス情報制御部６５と、を有している。
【００２５】
図３は、上述した携帯電話１０における、充電ステータス情報の外部投影表示制御の処理例を説明するためのフローチャート図である。まず、携帯電話機１０は、充電装置接続検出部６４により、充電装置２０の接続による外部電源供給の有無を監視する（ステップＳ１）。ステップＳ１において充電装置２０の接続が検出された場合は、充電制御部６６及び充電制御回路６７において電池７０の装着有無に関するチェックを実施する（ステップＳ２）。ステップＳ２において電池７０の装着が確認された場合は、充電制御部６６からプロジェクタ制御部４６への起動命令を行うことによりプロジェクタ部４０を起動する（ステップＳ３）。
【００２６】
プロジェクタ部４０の起動後、充電管理部６０において充電動作を開始するとともに、充電制御部６６は充電残時間算出部６３より得られる充電残時間情報を含む充電実施中を示すステータス情報をプロジェクタ制御部４６へ転送する。プロジェクタ制御部４６は充電制御部６６より転送された充電ステータス情報に基づく投影表示画像を生成し、この画像を液晶駆動部４４へ転送することにより、外部壁面５０への充電ステータス情報投影表示を行う（ステップＳ４）。以降、充電正常終了、または充電装置２０及び電池７０の何れかが未検出の状態となる等の充電異常終了、の何れかの状態を充電制御部６６にて検知した場合に、充電制御部６６はプロジェクタ制御部４６への終了命令を行うことでプロジェクタ部４０をシャットオフする（ステップＳ５及びＳ６）。
【００２７】
以上に説明したように、本実施の形態による携帯電話機１０及び充電装置２０によれば、ユーザが充電装置から離れた場所にいる環境、又は暗所での充電実施時に、携帯電話機が充電ステータス情報を外部壁面等へ投影表示するため、携帯電話機及び充電装置の存在に対する視認性が向上するとともに、ユーザが現在の充電ステータスを容易に判断することが可能となる。
【００２８】
尚、本実施の形態では、プロジェクタ部４０の投影光源４１として、白色ＬＥＤを採用しているが、これに代えてレーザー等の他の種々の発光手段を用いてもよい。また、充電装置２０についても、本実施の形態では、携帯電話機１０を載置可能な形状としたが、これに代えて携帯電話機１０と接続可能な他の種々の構成を用いてもよい。
【００２９】
本発明の第２の実施の形態では、上記第１の実施の形態で示した携帯端末及び充電装置に照度計測手段を備えることで、周囲照度に応じて携帯端末のプロジェクタ部における投影光源の発光量を制御する制御手段を備えたことを特徴としている。
【００３０】
図４は、本実施の形態を示す図であり、図４（Ａ）は、本実施の形態による携帯電話機の背面図、図４（Ｂ）は携帯電話機と充電装置との接続に関する概念図、図４（Ｃ）は携帯電話機及び充電装置による外部投影動作を説明するための概略図である。図４において、符号２０２は周囲照度計測のために充電装置２０が具備する照度測定部であり、１０１及び２０１は携帯電話機１０及び充電装置２０がデータ通信を行うための外部通信端子である。図４に示すように、携帯電話機１０及び充電装置２０は、充電実施時に、周囲照度計測部２０２を有し、この周囲照度計測部２０２による外部照明８０等による周囲の明るさを示す周囲照度計測結果に応じた投影光量によって、充電ステータス情報を外部壁面５０に拡大投影する際の制御を行う。
【００３１】
図５は、図４に示す構成における携帯電話機１０内のプロジェクタ部４０の投影光源発光量制御についての動作原理を説明するためのブロック構成図である。
【００３２】
充電装置２０内の照度測定部２０２は、フォトダイオード２０２ａ、可視光透過フィルタ２０２ｂ、Ａ／Ｄ変換部２０２ｃ、照度レベル算出部２０２ｄを備えており、室内照明灯８０による照射光を可視光透過フィルタ２０２ｂを介してフォトダイオード２０２ａで検出し、この光検出量をＡ／Ｄ変換部２０２ｃにおいてディジタル値に変換した後に、照度レベル算出部２０２ｄにおいて照度レベル値として算出する。また、充電装置２０内の外部通信制御部２１１及び外部通信端子２０１は、携帯電話機１０載置時に照度測定部２０２における照度レベル値を携帯電話機１０へ転送を行うために具備される。
【００３３】
一方、携帯電話機１０は、充電装置２０接続時に、充電装置２０から転送される照度レベル値を読み出すための外部通信端子１０１及び外部通信制御部１１１を備えるとともに、周囲照度に対応した投影光源必要発光量情報を予め記憶する周囲照度−光源発光量対応情報記憶部１１２を備える。
【００３４】
図６は、周囲照度レベルに応じた投影光源の必要発光量を定める情報テーブルの一構成例を示す図である。プロジェクタ制御部４６は、充電装置２０の照度測定部２０２から通知された周囲照度レベルに基づき、投影光源４１に設定すべき発光量を周囲照度−光源発光量対応情報記憶部１１２より検索する。周囲照度−光源発光量対応情報記憶部１１２には、図６に示すように、周囲照度レベル別にプロジェクタ部４０の投影画像の視認に必要となる投影光源４１の発光量情報が予め記憶されており、プロジェクタ制御部４６は、この情報を検索することで、周囲照度に対応した投影光源の必要発光量情報を得ることができる。
【００３５】
例えば、照度測定部２０２が測定した周囲照度レベルが、図６におけるＬ１〜Ｌ２の範囲に該当する場合、プロジェクタ制御部４６は、周囲照度−光源発光量対応情報記憶部１１２を検索することにより、投影光源４１の必要発光量情報としてＰ２を得る。そしてプロジェクタ制御部４６は、上記の検索が完了した時点で、検索された必要発光量情報を光源駆動部４２に設定する。これにより、光源駆動部４２は、プロジェクタ制御部４６より設定された発光量にて投影光源４１を駆動する。なお、図６に示す投影光源４１の必要発光量は、周囲照度が低くなるに従って低減するものである。
【００３６】
図７は、上述した携帯電話機１０内のプロジェクタ部２０における、投影光源発光量制御の処理例を説明するためのフローチャート図である。
【００３７】
まず、携帯電話機１０は充電装置接続検出部６４により、充電装置２０の接続を検出する（ステップＳ１０１）。次に携帯電話機１０は外部通信制御部１１１より充電装置２０に対して外部通信制御部２１１及び照度測定部２０２の起動、加えて照度測定部２０２からの照度レベル値転送開始の要求を行うことで、周囲照度測定を開始する（ステップＳ１０２）。次に携帯電話機１０のプロジェクタ制御部４６は、充電装置２０の照度測定部２０２から通知された周囲照度レベルに基づき、投影光源４１に設定すべき必要発光量情報を周囲照度−光源発光量対応情報記憶部１１２より検索する（ステップＳ１０３）。そしてプロジェクタ制御部４６は、周囲照度−光源発光量対応情報記憶部１１２を検索することにより得られた必要発光量情報を光源駆動部４２に設定することにより、投影光源４１の発光量制御を行う（ステップＳ１０４）。これにより、光源駆動部４２は、プロジェクタ制御部４６より設定された発光量にて投影光源４１を駆動する。
【００３８】
以上述べたように、本実施の形態による携帯電話機１０及び充電装置２０では、周囲照度に応じてプロジェクタの投影光源４１の発光量を制御できるため、周囲照度が低い場合には投影光源４１の発光量を低減させることができ、投影光源４１における不要な電力消費を抑えることが可能となる。
【００３９】
本発明の第３の実施の形態では、上記第１実施形態で示した携帯端末及び充電装置に加えて、外部投影面までの投影距離計測手段を備えることにより投影距離に応じて携帯端末のプロジェクタ部における投影光源の発光量を制御する手段を備えたことを特徴としている。
【００４０】
図８は、本実施の形態による携帯端末を示す図であり、図８（Ａ）は、携帯電話機の背面視図、図８（Ｂ）は携帯電話機と充電装置の接続概念図、図８（Ｃ）は携帯電話機及び充電装置による外部投影動作を説明するための概略図である。図８において、符号３０１は外部投影面までの投影距離計測の為に充電装置２０が具備する距離測定部である。図８に示すように、携帯電話機１０及び充電装置２０は、充電実施時に、外部壁面５０までの距離を測定する距離測定手段３０１を有し、この距離測定手段３０１による距離測定結果に応じて制御された投影光量にて、充電ステータス情報を外部壁面５０に拡大投影する。
【００４１】
図９は、図８に示す構成における携帯電話機１０内プロジェクタ部４０の投影光源発光量制御についての動作原理を説明するためのブロック構成図である。充電装置２０内の距離測定部３０１は、発光素子３０１ａ、位置検出素子３０１ｂ、投光レンズ３０１ｃ、受光レンズ３０１ｄ、三角測距レベル算出部３０１ｅを備えており、三角測距レベル算出部３０１ｅは、投光レンズ３０１ｃを介して発光素子３０１ａより赤外光線を前方に照射させ、外部壁面５０で反射された赤外光線の受光入射角を受光レンズ３０１ｄ及び位置検出素子３０１ｂによって検出することで、外部壁面５０までの投影距離を三角測距法により算出する。また、充電装置２０は、距離測定部３０１により得られる投影距離情報を外部通信制御部２１１及び外部通信端子２０１を介して携帯電話機１０へ転送する。
【００４２】
一方、携帯電話機１０は、充電装置２０を接続した時に、充電装置２０より転送される投影距離情報を外部通信端子１０１及び外部通信制御部１１１を使用して読み出すともに、投影距離に対応した投影光源必要発光量情報を予め記憶する投影距離−投影光源発光量対応情報記憶部１２２を備える。
【００４３】
図１０は、投影距離範囲に応じた投影光源の必要発光量を定める情報テーブルの一構成例を示す図である。プロジェクタ制御部４６は、充電装置２０の距離測定部３０１から通知された投影距離情報に基づき、投影光源４１に設定すべき発光量を投影距離−投影光源発光量対応情報記憶部１２２より検索する。投影距離−投影光源発光量対応情報記憶部１２２には、図１０に示すように、投影距離範囲別にプロジェクタ部４０の投影画像の視認に必要となる投影光源４１の発光量情報が予め記憶されており、プロジェクタ制御部４６は、この情報を検索することにより、周囲照度に対応した投影光源の必要発光量情報を得ることができる。
【００４４】
例えば、距離測定部３０１が測定した投影距離が、図１０におけるＬ１〜Ｌ２の範囲に該当する場合には、プロジェクタ制御部４６は、投影距離−投影光源発光量対応情報記憶部１２２を検索することにより、投影光源４１の必要発光量情報としてＰ２を得る。そしてプロジェクタ制御部４６は、上記の検索が完了した時点で、検索された必要発光量情報を光源駆動部４２に設定する。これにより、光源駆動部４２は、プロジェクタ制御部４６より設定された発光量にて投影光源４１を駆動する。なお、図１０に示す投影光源４１の必要発光量は、投影距離が短くなるに従って低減する。
【００４５】
図１１は、上述した携帯電話機１０内プロジェクタ部２０における、投影光源発光量制御の処理例を説明するためのフローチャートである。
【００４６】
まず、携帯電話機１０は充電装置接続検出部６４により、充電装置２０の接続を検出する（ステップＳ２０１）。次に携帯電話機１０は外部通信制御部１１１より充電装置２０に対して外部通信制御部２１１及び距離測定部３０１の起動、加えて距離測定部３０１からの距離測定値転送開始の要求を行うことで、投影距離測定を開始する（ステップＳ２０２）。次に携帯電話機１０のプロジェクタ制御部４６は、充電装置２０の距離測定部３０１から通知された投影距離測定値に基づき、投影光源４１に設定すべき必要発光量情報を投影距離−投影光源発光量対応情報記憶部１２２より検索する（ステップＳ２０３）。そしてプロジェクタ制御部４６は、投影距離−投影光源発光量対応情報記憶部１２２を検索することにより得られた必要発光量情報を光源駆動部４２に設定することにより、投影光源４１の発光量制御を行う（ステップＳ２０４）。これにより、光源駆動部４２は、プロジェクタ制御部４６より設定された発光量にて投影光源４１を駆動する。
【００４７】
以上述べたように、本実施の形態による携帯電話機１０及び充電装置２０では、投影距離に応じてプロジェクタの投影光源４１の発光量を制御できるため、投影距離が短い場合には投影光源４１の発光量を低減させることができ、投影光源４１における不要な電力消費を抑えることが可能となる。なお、本実施形態では、距離測定部３０１の測距方式として、赤外光線による三角測距方式を採用しているが、これに代えて超音波方式等の種々の測距方式を用いてもよい。
【００４８】
尚、上記各実施の形態では、充電対象として携帯端末を例に説明したが、その他の充電池内蔵の携帯電子機器に適用可能である。
【産業上の利用可能性】
【００４９】
本発明は、携帯機器に利用可能である。
【図面の簡単な説明】
【００５０】
【図１】本発明の第１の実施の形態による携帯端末及び充電装置の構成例を示す図である。
【図２】図１に示した携帯端末及び充電装置の外部投影の動作原理を説明するためのブロック構成図である。
【図３】図１に示した携帯端末及び充電装置の外部投影処理例を説明するためのフローチャートである。
【図４】本発明の第２の実施の形態による携帯端末及び充電装置の構成例を示す図である。
【図５】図４に示した携帯端末及び充電装置における投影光源発光量制御の動作原理を説明するためのブロック構成図である。
【図６】周囲照度レベルに応じた投影光源の必要発光量を定める情報テーブルの一例を示す図である。
【図７】図４に示した携帯端末及び充電装置における投影光源発光量制御の処理例を説明するためのフローチャートである。
【図８】本発明の第３の実施の形態による携帯端末及び充電装置の構成例を示す図である。
【図９】図８に示した携帯端末及び充電装置における投影光源発光量制御の動作原理を説明するためのブロック構成図である。
【図１０】投影距離に応じた投影光源の必要発光量を定める情報テーブルの一例を示す図である。
【図１１】図８に示した携帯端末及び充電装置における投影光源発光量制御の処理例を説明するためのフローチャートである。
【図１２】従来技術の携帯端末及び充電装置の構成を示す図である。
【符号の説明】
【００５１】
１０…携帯端末、１１…外部電源供給端子、２０…充電装置、２１…載置部、２２…充電端子、２３…充電状態報知用発光部、３０…ＡＣ／ＤＣアダプタ、４０…プロジェクタ部、４１…投影光源、４１ａ…白色ＬＥＤ、４１ｂ…拡散板、４２…光源駆動部、４３…透過型液晶板、４４…液晶駆動部、４５…投影レンズ、４６…プロジェクタ制御部、５０…外部壁面、６０…充電管理部、６１…Ａ／Ｄ変換部、６２…充電電圧／電流モニタ部、６３…充電残時間算出部、６４…充電装置接続検出部、６５…充電ステータス情報制御部、６６…充電制御部、６７…充電制御回路、７０…電池、８０…室内照明灯、１０１，２０１…外部通信端子、１１２…周囲照度−光源発光量対応情報記憶部、１２２…投影−投影光源発光量対応情報記憶部、２０２…照度測定部、２０２ａ…フォトダイオード、２０２ｂ…可視光透過フィルタ、２０２ｃ…Ａ／Ｄ変換部、２０２ｄ…照度レベル算出部、１１１，２１１…外部通信制御部、３０１…距離測定部、３０１ａ…発光素子、３０１ｂ…位置検出受光素子、３０１ｃ…投光レンズ、３０１ｄ…受光レンズ、３０１ｅ…三角測距レベル算出部。 
【図１】
2007135341.tif 000003
【図２】
2007135341.tif 000004
【図３】
2007135341.tif 000005
【図４】
2007135341.tif 000006
【図５】
2007135341.tif 000007
【図６】
2007135341.tif 000008
【図７】
2007135341.tif 000009
【図８】
2007135341.tif 000010
【図９】
2007135341.tif 000011
【図１０】
2007135341.tif 000012
【図１１】
2007135341.tif 000013
【図１２】
2007135341.tif 000014